(57)【特許請求の範囲】
【請求項１】
同一形状の面構成部品を複数個組み付けて多角形柱体を構成し、この多角形柱体の内部で長芋等を育成する長芋等の育成容器であって、
上記面構成部品は、互いに直交する２平面部分を有するとともに、各平面部分の端部のそれぞれにその平面部分と直交する方向に突出する係合片が設けられ、この係合片の一方はＬ字形状に折り曲げられ、
これらの係合片同士を係合させた状態で面構成部品同士を結合することにより、四角形柱体を構成する長芋等の育成容器。
【請求項２】
同一形状の面構成部品を複数個組み付けて多角形柱体を構成し、この多角形柱体の内部で長芋等を育成する長芋等の育成容器であって、
上記面構成部品は、互いに直交する２平面部分を有するとともに、その両端部に各平面部分から直交して突出した係合片をそれぞれ有し、
この係合片同士を係合させて四角柱体を構成し、
この四角柱体を立設した状態で、その２個を対角線上に並べて隣接して配置するとともに、この対角線と直交する対角線に沿って２個の構成部品を配置することにより、全体として４個の長芋育成空間を田の字状に画成した長芋等の育成容器。
【請求項３】
上記面構成部品は２平面部分の交差部位に係合屈曲部を有し、この係合屈曲部同士が係合することにより２個の面構成部品同士が所定の位置関係を保持する請求項２に記載の長芋等の育成容器。
【発明の詳細な説明】
【０００１】
【発明の属する技術分野】
この発明は長芋等（長芋、山芋、自然薯その他の長尺型根菜類）の育成容器およびその育成容器の構成部材に関する。
【０００２】
【従来の技術】
登録実用新案第３０７９５０３号公報には、長尺型根菜類の栽培容器として、以下のものが開示されている。すなわち、上部が開放された空のガスボンベを長手方向に切断して左右の分割容器体を形成し、この分割容器体の底に多孔を形成している。分割容器体は蝶番で開閉自在とされ、ロック金具で閉止される。
この栽培容器内に土壌、種芋を入れ、給水して自然薯を育てる。そして、成長したら、ロック金具を外して自然薯を掘り出す。
【０００３】
【発明が解決しようとする課題】
しかしながら、このような栽培容器にあっては、以下に示す問題点があった。すなわち、円筒形のため、容器を並べて大量栽培を行う場合、不要空間が大きく、その面積効率が悪かった。また、この容器は２つ割り構造であるため、ヒンジ部、ロック金具などの一部分が故障した場合でも、全体としてこれを使用できなくなっていた。
【０００４】
そこで、発明者は、単一形状の部品を複数個組み合わせることにより、大量栽培に適した容器を構成することができることに着目し、この発明を完成させた。
【０００５】
【発明の目的】
この発明は、大量栽培に適した育成容器を提供することを、その目的としている。
また、この発明は、安価で製作可能な育成容器を提供することを、その目的としている。
さらに、この発明は、複数個の組み合わせにより省スペースを可能とした育成容器を提供することを、その目的としている。
【０００６】
【課題を解決するための手段】
請求項１に記載の発明は、同一形状の面構成部品を複数個組み付けて多角形柱体を構成し、この多角形柱体の内部で長芋等を育成する長芋等の育成容器であって、上記面構成部品は、互いに直交する２平面部分を有するとともに、各平面部分の端部のそれぞれにその平面部分と直交する方向に突出する係合片が設けられ、この係合片の一方はＬ字形状に折り曲げられ、これらの係合片同士を係合させた状態で面構成部品同士を結合することにより、四角形柱体を構成する長芋等の育成容器である。
この面構成部品の素材は任意である。例えば樹脂成型品である。
四角形柱体の結合する個数は１個に限られず、２個以上であってもよい。
長芋等とは、長芋、山芋、自然薯、長尺根菜類を含むものである。
【０００７】
請求項２に記載の発明は、同一形状の面構成部品を複数個組み付けて多角形柱体を構成し、この多角形柱体の内部で長芋等を育成する長芋等の育成容器であって、上記面構成部品は、互いに直交する２平面部分を有するとともに、その両端部に各平面部分から直交して突出した係合片をそれぞれ有し、この係合片同士を係合させて四角柱体を構成し、この四角柱体を立設した状態で、その２個を対角線上に並べて隣接して配置するとともに、この対角線と直交する対角線に沿って２個の構成部品を配置することにより、全体として４個の長芋育成空間を田の字状に画成した長芋等の育成容器である。
なお、田の字形状の育成容器を１単位として複数単位連結し、大量栽培を行うこともできる。
【０００８】
請求項３に記載の発明は、上記面構成部品は２平面部分の交差部位に係合屈曲部を有し、この係合屈曲部同士が係合することにより２個の面構成部品同士が所定の位置関係を保持する請求項２に記載の長芋等の育成容器である。田の字形状に構成した育成容器でこの係合屈曲部により所定の位置決めが容易となる。
【０００９】
【作用】
この発明によれば、同一形状の面構成部品を複数個組み付けることにより、四角形柱体を形成し、その内部を育成用空間とする。このとき、例えば結合バンドにより面構成部品同士を結合する。また、この四角形柱体は皿状のトレイに立設することができる。よって、この育成容器は、複数個の四角形柱体を隙間なく隣り合わせて並べて構成することができる。このように構成した育成容器にあって、その育成用空間内に種芋と土壌などを収容し、給水することにより、長芋等を栽培する。このとき、複数の育成用空間を形成することができるため、同時に多くの長芋等を栽培することができる。この場合、育成用空間は平面視して田の字形状、ハニカム状などに形成することができ、無駄な隙間、空間をなくすことができる。
また、同一形状・同一寸法の面構成部品により四角形柱体を構成するため、その面構成部品の製作が安価でかつ容易となる。単一の金型などにより大量生産が可能だからである。
【００１０】
【発明の実施の形態】
以下、図１〜図６を参照してこの発明の第１実施例に係る長芋等の育成容器を説明する。
これらの図に示すように、この長芋育成容器１０は、同一形状の面構成部品１１Ａ，１１Ｂ，１１Ｃ，１１Ｄ，１１Ｅ，１１Ｆを６枚組み付け、平面視して田の字形状に構成されている。詳しくは、各面構成部品１１Ａ，１１Ｂ，１１Ｃ，１１Ｄ，１１Ｅ，１１Ｆは、その係合片１２，１３同士を突き合わせる（係合させる）ことにより、４角柱体を形成し、その周囲を結合バンド１４で取り囲んで結合することにより、田の字形状に４個の育成空間１５Ａ，１５Ｂ，１５Ｃ，１５Ｄを画成している。各育成空間１５Ａ，１５Ｂ，１５Ｃ，１５Ｄには、後述するように、土、種芋などが投入され、定期的に給水を行うことにより、長芋が栽培される。その長芋の成長に伴い延びるツルを巻き付けるため、この育成容器１０の外壁４隅に所定長さのポール１６がそれぞれ固定、立設されている。
面構成部品１１Ａ，１１Ｂ，１１Ｃ，１１Ｄ，１１Ｅ，１１Ｆは、図２に示すように、略９０度の角度で交差した２平面部分１７Ａ，１７Ｂを有しており、各平面部分１７Ａ，１７Ｂは矩形の板材で構成されている。一方の平面部分１７Ａの端部にはこれから直角に突出し、Ｌ字形状に折り曲げられたレール状の係合片１２が形成されている。また、他方の平面部分１７Ｂの端部には平面部分１７Ｂから直角に折り曲げられ所定長さだけ突出したレール状の係合片１３がそれぞれ形成されている。そして、これらの平面部分１７Ａ，１７Ｂの交差部分には所定の凹み（係合屈曲部）１８が形成されている。この凹み１８，１８同士を背中合わせに係合させることにより、４角柱体（育成空間１５Ａ）と４角柱体（育成空間１５Ｂ）とが各対角線を１直線とした状態で配置されることとなる。この直線が田の字状の育成容器１０の対角線となる。この対角線と直交する対角線上には面構成部品１１Ｅ，１１Ｆがそれぞれ配設され、残りの２個の育成用空間１５Ｃ，１５Ｄを画成している。
【００１１】
したがって、トレイまたはシートの上に上記四角柱体（１１Ａ，１１Ｂからなる四角柱体と、１１Ｃ，１１Ｄからなる四角柱体）を立設した状態で、その２個を対角線上に並べて隣接して配置するとともに、この対角線と直交する対角線に沿って２個の構成部品１１Ｅ，１１Ｆを配置する。この結果、全体として４個の長芋育成空間１５Ａ，１５Ｂ，１５Ｃ，１５Ｄがトレイ上に田の字状に画成、立設される。この設置場所は、マンションのベランダや、屋内、屋外、屋上なども適当である。特に、この田の字形状の栽培容器１０をさらに１〜３ユニットだけ連結する場合は、屋外の庭、駐車場の一部などが適当な設置場所となる。
そして、これらの空間１５Ａ〜１５Ｄに所定量の土を入れ、長芋の種芋をその土の中に埋ける。定期的に給水などを行うことにより、長芋が生育することとなる。生育にともなう各長芋のツルは四隅のポール１６・・・にそれぞれ巻き付ける。
この場合、所要量の土が投入されるため、栽培容器１０としてはかなりの重量となり、転倒することがなくなり、容器として安定する。
このとき、土の中に家庭の生ゴミなどを入れてもよい。この場合の生ゴミは土で覆う。すなわち、この長芋の栽培容器１０は、生ゴミ処理装置としても活用することができる。なお、多量の給水に対しても底がトレイであり、栽培容器とは分離されているため、排水性が高く、十分に対応することができる。根腐れは防止できる。
【００１２】
そして、長芋が充分に成長したとき、結合バンド１４を取り外し、外側の面構成部品１１Ａ，１１Ｃ，１１Ｅ，１１Ｆを順番に取り除くことにより、４個の育成容器内の土塊の側面が表れる。この土中から長芋を掘り出すことにより、簡単に素手でも長芋を収穫することができる。また、任意の位置の面構成部品のみを取り外すことにより、そのブロックのみの長芋を掘り出すことができる。例えば掘り出した長芋の成長が遅い（小さい）場合は、他のブロックについては面構成部品を剥がすことなく、収穫時期を遅らせることとする。
【００１３】
図３〜図６には、この四角柱体からなる栽培容器１０における面構成部品同士の当接・連結部分を示す。これらの図に示すように、３つの構成部品の係合片同士が係合する場合、間に１の係合片を挟んだ状態で、２つの構成部品の係合片同士をつき合わせる。その結果、３個の係合片同士が固定・連結されることとなる。なお、係合片の幅、厚さは任意とする。
【００１４】
次に、図７〜図１０にはこの発明に係る長芋等の育成容器の他の実施例を示している。この実施例では、係合屈曲部としての凹み２１の形状を上記実施例のそれから変更している。この凹み２１は平面部分の一方側２２が所定の長さだけ凹んでいるため、各図に示すように、それらの係合関係に多様なバリエーションを生じさせることができる。図８では４個の育成空間の断面積を略均等とした場合を示す。図９には、凹み２１同士が非接触状態である場合、すなわち、外合わせの場合である。図１０には、凹み２１同士を重なり合わせた場合である。この場合は、４つの育成空間の断面積に差異が生じている。大きい育成空間２３，２３と、小さい育成空間２４，２４とである。なお、これらの場合においても係合片同士を突き合わせて、バンドで固定する点については上記実施例の場合と同様である。なお、バンドでの固定は１本に限られることはない、その高さに応じて２個所で結合することも考えられる。バンド固定により、結合の強度を高めることができる。バンドに替えて針金や紐などで固定することもできる。
【００１５】
また、上記面構成部品は２平面部分の交差部分（屈曲部）を任意の角度に可変とすることができる。例えば交差部分（連結部分）を平面部分に比較して薄い素材で形成する。可撓性を付与し、例えば平面視して菱形などの任意の形状に対応可能となる。
また、上記各実施例に示す面構成部品は、いずれもプラスチック成型品として形成することができる。大量生産に適しているからである。
また、上記結合バンドに替えて各種の結合手段が考えられる。例えば、ピンを係合片に形成した穴に挿入して結合する方法である。
【００１６】
【発明の効果】
この発明によれば、田畑などの地中栽培ではなく、ベランダなど地上での栽培を可能とし、かつその容器自体が大量生産に適した長芋等の育成容器を提供することができる。構成部品を樹脂成型品とした場合はさらに安価に製造することができる。また、隙間無く平面状にその構成容器を拡張することができる。また、任意の広さの設置スペースに対応することができる。例えばベランダから屋上、庭などに対応することができる。もちろん取り外しなど分解、保守、管理が容易である。一部品の破損などにも簡単に対応（修理など）ができる。さらに、トレイを設置することにより、地中に長芋の根が延び込むことがない。きわめて簡単に長芋などを栽培、育成することができる。この容器は、生ゴミなどの処理にも活用することができる。
【図面の簡単な説明】
【図１】この発明の一実施例に係る栽培容器を示すその斜視図である。
【図２】この発明の一実施例に係る栽培容器の面構成部品を示すその斜視図である。
【図３】この発明の一実施例に係る栽培容器の係合片部分を示すその平面図である。
【図４】この発明の一実施例に係る栽培容器の係合片部分を示すその平面図である。
【図５】この発明の一実施例に係る栽培容器の係合片部分を示すその平面図である。
【図６】この発明の一実施例に係る栽培容器の係合片部分を示すその平面図である。
【図７】この発明の他の実施例に係る栽培容器の面構成部品を示すその平面図である。
【図８】この発明の他の実施例に係る栽培容器の構成例を示すその平面図である。
【図９】この発明の他の実施例に係る栽培容器の構成例を示すその平面図である。
【図１０】この発明の他の実施例に係る栽培容器の構成例を示すその平面図である。
【符号の説明】
１０  長芋等の育成容器、
１１Ａ〜１１Ｆ  面構成部品、
１２，１３  係合片、
１４  結合バンド、
１５Ａ〜１５Ｄ  育成空間、
１７Ａ，１７Ｂ  平面部分、
１８  凹み（係合屈曲部）。
【図１】
0003625453.tif 000002
【図２】
0003625453.tif 000003
【図３】
0003625453.tif 000004
【図４】
0003625453.tif 000005
【図５】
0003625453.tif 000006
【図６】
0003625453.tif 000007
【図７】
0003625453.tif 000008
【図８】
0003625453.tif 000009
【図９】
0003625453.tif 000010
【図１０】
0003625453.tif 000011